(57)【要約】【課題】表示光量の低下を抑制しながら、画像の品位を向上することのできる投射型表示装置を提供すること。【解決手段】投射型表示装置１１０において、光源６１１から電気光学装置１００に到る光路には、第１レンズアレイ６２、第２レンズアレイ６３、偏光変換素子６４および重畳レンズ６５が順に配置されており、第２レンズアレイ６３と偏光変換素子６４との間等には、少なくとも３段階の透過率分布を有するフィルター６９が配置されている。フィルター６９は、光源光の光束のうち、装置光軸Ｌに対して大きな角度を成す斜め光を選択的に減少可能な透過率分布を有している。【選択図】図１
2015200807.tif 000002
【特許請求の範囲】
【請求項１】
光源と、
前記光源から出射された光を変調する電気光学装置と、
前記光源から前記電気光学装置に到る光路に配置され、少なくとも３段階の透過率分布を有するフィルターと、
を有することを特徴とする投射型表示装置。
【請求項２】
前記光路には、レンズアレイと、該レンズアレイと前記電気光学装置との間に配置された偏光変換素子と、該偏光変換素子と前記電気光学装置との間に配置された重畳レンズと、該重畳レンズと前記電気光学装置との間に配置された複数の光学素子と、が設けられ、
前記フィルターは、前記レンズアレイと前記偏光変換素子との間、前記偏光変換素子と前記重畳レンズとの間、および前記重畳レンズと前記複数の光学素子うち、最も前記重畳レンズの側に配置された光学素子との間のいずれかに配置されていることを特徴とする請求項１に記載の投射型表示装置。
【請求項３】
前記フィルターは、前記レンズアレイと前記偏光変換素子との間に配置されていることを特徴とする請求項２に記載の投射型表示装置。
【請求項４】
前記フィルターは、前記偏光変換素子と前記重畳レンズとの間に配置されていることを特徴とする請求項２に記載の投射型表示装置。
【請求項５】
前記フィルターは、前記重畳レンズと前記複数の光学素子うち、最も前記重畳レンズの側に配置された光学素子との間に配置されていることを特徴とする請求項２に記載の投射型表示装置。
【請求項６】
前記レンズアレイは、第１レンズアレイと、該第１レンズアレイと前記偏光変換素子との間に配置され、前記第１レンズアレイと同数のレンズを備えた第２レンズアレイと、を備え、
前記フィルターは、前記第１レンズアレイと前記第２レンズアレイとの間に配置されていることを特徴とする請求項１に記載の投射型表示装置。
【請求項７】
ｎ、ｍを２以上の整数としたとき、
前記レンズアレイでは、レンズが装置光軸に直交する第１方向にｎ列設けられているとともに、装置光軸および前記第１方向に直交する第２方向にｍ列設けられており、
前記フィルターは、領域毎に透過率が設定されたアレイが前記第１方向にｎ列以上設けられているとともに、前記第１方向にｍ列以上設けられていることを特徴とする請求項３または６に記載の投射型表示装置。
【請求項８】
前記フィルターは、前記アレイが前記第１方向にｎ列設けられているとともに、前記第１方向にｍ列設けられていることを特徴とする請求項７に記載の投射型表示装置。
【請求項９】
前記レンズアレイでは、レンズが装置光軸に直交する第１方向にｎ列設けられているとともに、装置光軸および前記第１方向に直交する第２方向にｍ列設けられており、
前記フィルターは、領域毎に透過率が設定されたアレイが前記第１方向にｎ×２列以上設けられているとともに、前記第１方向にｍ列以上設けられていることを特徴とする請求項４または５に記載の投射型表示装置。
【請求項１０】
前記フィルターは、前記アレイが前記第１方向にｎ×２列設けられているとともに、前記第１方向にｍ列設けられていることを特徴とする請求項９に記載の投射型表示装置。
【請求項１１】
前記フィルターは、光が照射される領域のうち、外周に位置する部分の一部は、前記透過率分布において最も透過率が低いレベルより透過率が高いレベルになっていることを特徴とする請求項１乃至１０の何れか一項に記載の投射型表示装置。
【請求項１２】
前記フィルターは、装置光軸を中心としたとき、前記透過率分布が点対称および線対称のいずれにもなっていないことを特徴とする請求項１乃至１１の何れか一項に記載の投射型表示装置。
【請求項１３】
前記電気光学装置は、第１基板と第２基板との間に液晶層を備えた液晶装置であることを特徴とする請求項１乃至１２の何れか一項に記載の投射型表示装置。
【発明の詳細な説明】
【技術分野】
【０００１】
本発明は、電気光学装置により変調された光を投射する投射型表示装置に関するものである。
【背景技術】
【０００２】
投射型表示装置では、光源から出射された光を液晶装置等の電気光学装置によって変調した後、投射光学系から投射する。その際、電気光学装置に届く光源光の特性によっては、投射された画像の品位を低下させてしまう。
【０００３】
例えば、複数の液晶装置で生成された画像を合成して投射する場合、光源からの光路が短い液晶装置では、画像周辺部の輝度が他の液晶装置に比して高い画像が生成されてしまい、画像の品位が低下する。そこで、光源からの光路が短い液晶装置に対して、光源光の光束の外周部分を一律に遮光する透過光量調整部材を配置した構成が提案されている（特許文献１参照）。具体的には、光源光が入射する領域のうち、中央部分については透過領域とし、外周部分については遮光領域とした透過光量調整部材を用いることが提案されている。また、中央部の透過領域から外周側に向けて透過率が連続的に低下している透過光量調整部材を用いることも提案されている。
【先行技術文献】
【特許文献】
【０００４】
【特許文献１】特開平２−１８７７３９号公報
【発明の概要】
【発明が解決しようとする課題】
【０００５】
しかしながら、特許文献１に記載の透過光量調整部材は、複数の液晶装置のうち、一部の液晶装置で生成される画像の周辺部の輝度を低く抑えるという特殊な場合に用いることを前提としている。このため、引用文献１には、光源光において装置光軸に対して斜めに進行する斜め光の影響によってコントラストが低下することを防止するために、特許文献１に記載の透過光量調整部材を用いると、光源光の光束の外周部分を一律に遮光することになるため、コントラストを低下させる原因とならない光も遮断してしまい、表示光量が著しく低下するという問題点がある。
【０００６】
以上の問題点に鑑みて、本発明の課題は、表示光量の低下を抑制しながら、画像の品位を向上することのできる投射型表示装置を提供することにある。
【課題を解決するための手段】
【０００７】
上記課題を解決するために、本発明に係る投射型表示装置は、光源と、前記光源から出射された光を変調する電気光学装置と、前記光源から前記電気光学装置に到る光路に配置され、少なくとも３段階の透過率分布を有するフィルターと、を有することを特徴とする。
【０００８】
本発明においては、少なくとも３段階の透過率分布を有するフィルターを用いて、光源光のうち、装置光軸に対して大きな角度を成して斜めに進行する斜め光等、画像の品位を低下させる原因となる光成分を減少させる。このため、画像の品位を低下させるおそれが低い光成分については遮断しないため、表示光量の低下を抑制しながら、画像の品位を向上することができる。
【０００９】
本発明において、前記光路には、レンズアレイと、該レンズアレイと前記電気光学装置との間に配置された偏光変換素子と、該偏光変換素子と前記電気光学装置との間に配置された重畳レンズと、該重畳レンズと前記電気光学装置との間に配置された複数の光学素子と、が設けられ、前記フィルターは、前記レンズアレイと前記偏光変換素子との間、前記偏光変換素子と前記重畳レンズとの間、および前記重畳レンズと前記複数の光学素子うち、最も前記重畳レンズの側に配置された光学素子との間のいずれかに配置されていることが好ましい。すなわち、光路のうち、比較的、光源に近い位置にフィルターを配置することが好ましい。このように構成すれば、光源光の光束のうち、装置光軸に対して大きな角度を成す斜め光をフィルターによって選択的に減少させることができ、他の光成分の減少を抑制することができる。それ故、表示光量の低下を抑制しながら、画像の品位を向上することができる。
【００１０】
本発明において、前記フィルターは、前記レンズアレイと前記偏光変換素子との間に配置されていることが好ましい。かかる構成によれば、レンズアレイを通過した光源光から装置光軸に対して大きな角度を成す斜め光をフィルターによって選択的に減少させることができ、他の光成分の減少を抑制することができる。
【００１１】
本発明において、前記フィルターは、前記偏光変換素子と前記重畳レンズとの間に配置されている構成を採用してもよい。かかる構成によれば、偏光変換素子を通過した光源光から装置光軸に対して大きな角度を成す斜め光をフィルターによって選択的に減少させることができ、他の光成分の減少を抑制することができる。
【００１２】
本発明において、前記フィルターは、前記重畳レンズと前記複数の光学素子うち、最も前記重畳レンズの側に配置された光学素子との間に配置されている構成を採用してもよい。かかる構成によれば、重畳レンズを通過した光源光から装置光軸に対して大きな角度を成す斜め光をフィルターによって選択的に減少させることができ、他の光成分の減少を抑制することができる。また、フィルターを光源から、ある程度離れた位置に設けるため、光源の熱によってフィルターが変形することを抑制することができる。
【００１３】
本発明において、前記レンズアレイは、第１レンズアレイと、該第１レンズアレイと前記偏光変換素子との間に配置され、前記第１レンズアレイと同数のレンズを備えた第２レンズアレイと、を備え、前記フィルターは、前記第１レンズアレイと前記第２レンズアレイとの間に配置されている構成を採用してもよい。かかる構成によれば、第１レンズアレイを通過した光源光から装置光軸に対して大きな角度を成す斜め光をフィルターによって選択的に減少させることができ、他の光成分の減少を抑制することができる。
【００１４】
本発明では、レンズアレイの直後あるいは第１レンズアレイの直後にフィルターを配置した場合、ｎ、ｍを２以上の整数としたとき、前記レンズアレイでは、レンズが装置光軸に直交する第１方向にｎ列設けられているとともに、装置光軸および前記第１方向に直交する第２方向にｍ列設けられているので、前記フィルターは、領域毎に透過率が設定されたアレイが前記第１方向にｎ列以上設けられているとともに、前記第２方向にｍ列以上設けられていることが好ましい。
【００１５】
この場合、前記フィルターは、前記アレイが前記第１方向にｎ列設けられているとともに、前記第１方向にｍ列設けられている構成を採用してもよい。かかる構成によれば、レンズアレイのレンズに対応する位置にアレイを設けるため、アレイをいずれの透過率に設定するかを容易に決定することができる。
【００１６】
本発明において、フィルターが重畳レンズの直前あるいは直後に設けられている場合、前記レンズアレイでは、レンズが装置光軸に直交する第１方向にｎ列設けられているとともに、装置光軸および前記第１方向に直交する第２方向にｍ列設けられており、前記フィルターは、領域毎に透過率が設定されたアレイが前記第１方向にｎ×２列以上設けられているとともに、前記第１方向にｍ列以上設けられていることが好ましい。
【００１７】
この場合、前記フィルターは、前記アレイが前記第１方向にｎ×２列設けられているとともに、前記第１方向にｍ列設けられていることが好ましい。かかる構成によれば、偏光変換素子の出射部分に対応する位置にアレイを設けるため、アレイをいずれの透過率に設定するかを容易に決定することができる。
【００１８】
本発明において、前記フィルターは、光が照射される領域のうち、外周に位置する部分の一部は、前記透過率分布において最も透過率が低いレベルより透過率が高いレベルになっていることが好ましい。かかる構成によれば、光源光の光束の外周部分であっても、画像の品位を低下させるおそれが低い光成分については遮断せずに表示光として利用できる。従って、表示光量の低下を抑制することができる。
【００１９】
本発明において、前記フィルターは、装置光軸を中心としたとき、前記透過率分布が点対称および線対称のいずれにもなっていないことが好ましい。すなわち、本発明では、光源光のうち、表示品位の低下の原因となる光成分を効果的に減少させ、表示品位の低下の原因とならない光成分については、表示光として利用する。その結果、透過率分布が点対称や線対称等、単純な構成になっていないことが好ましい。
【００２０】
本発明は、前記電気光学装置は、第１基板と第２基板との間に液晶層を備えた液晶装置である場合に適用すると効果的である。液晶装置の場合、斜め方向から入射した光に関しては、リターデーションが異なる値となるため、コントラストを低下させやすい。しかるに本発明によれば、コントラストの低下の原因となる斜め光を効果的に減少させることができる。
【図面の簡単な説明】
【００２１】
【図１】本発明の実施の形態１に係る投射型表示装置の概略構成図である。
【図２】本発明の実施の形態１に係る投射型表示装置に用いた液晶パネルの説明図である。
【図３】本発明の実施の形態１に係る投射型表示装置に用いた照明装置において、フィルターを設けない状態における光源光の特性を示す説明図である。
【図４】本発明の実施の形態１に係る投射型表示装置において、照明装置にフィルターを設けない状態で電気光学装置に入射する光源光の角度分布を示す説明図である。
【図５】本発明の実施の形態１に係る投射型表示装置に用いたフィルターの説明図である。
【図６】本発明の実施の形態２に係る投射型表示装置に用いた照明装置の概略構成図である。
【図７】本発明の実施の形態３に係る投射型表示装置に用いた照明装置の概略構成図である。
【図８】本発明の実施の形態４に係る投射型表示装置に用いた照明装置の概略構成図である。
【図９】本発明の実施の形態５に係る投射型表示装置の照明装置に用いたフィルターの説明図である。
【発明を実施するための形態】
【００２２】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、互いに異なる波長域の光が供給される複数の液晶パネルとして、赤色光、緑色光、青色光が入射する３つの液晶パネルが用いられており、赤色光、緑色光、青色光において各々が対応する波長域は、６２０〜７４０ｎｍ、５００〜５７０ｎｍ、４３０〜５００ｎｍである。また、以下の説明において、液晶パネルに関しては、共通の構成等を説明する際には電気光学装置１００とし、複数の電気光学装置１００の個々の構成を説明する際には、以下に示すように、
赤色用電気光学装置１００Ｒ
緑色用電気光学装置１００Ｇ
青色用電気光学装置１００Ｂ
とし、変調する光の波長域に応じて、Ｒ（赤色用）、Ｇ（緑色用）、Ｂ（青色用）を付して説明する。
【００２３】
［実施の形態１］
（投射型表示装置の構成例）
図１は、本発明の実施の形態１に係る投射型表示装置１１０の概略構成図である。図１（ａ）は、投射型表示装置１１０全体の概略構成図であり、図１（ｂ）は、投射型表示装置１１０に用いた照明装置６０の概略構成図である。
【００２４】
図１に示す投射型表示装置１１０は、透過型の電気光学装置１００を用いた液晶プロジェクタであり、スクリーン等からなる被投射部材１１１に光を照射し、画像を表示する。投射型表示装置１１０は、装置光軸Ｌに沿って、照明装置６０と、照明装置６０から出射された光が供給される複数の電気光学装置１００（液晶ライトバルブ１１５〜１１７）と、複数の電気光学装置１００から出射された光を合成して出射するクロスダイクロイックプリズム１１９（光合成光学系）と、クロスダイクロイックプリズム１１９により合成された光を投射する投射光学系１１８とを有している。また、投射型表示装置１１０は、フィールドレンズ１１２、ダイクロイックミラー１１３、１１４、およびリレー系１２０を備えている。投射型表示装置１１０において、電気光学装置１００およびクロスダイクロイックプリズム１１９は、光学ユニット２００を構成している。
【００２５】
照明装置６０では、装置光軸Ｌに沿って、光源部６１、フライアイレンズ等のレンズアレイ６６（インテグレーターレンズ）、偏光変換素子６４、および重畳レンズ６５が順に配置されている。従って、光源部６１から電気光学装置１００に到る光路には、レンズアレイ６６と、レンズアレイ６６と電気光学装置１００との間に配置された偏光変換素子６４と、偏光変換素子６４と電気光学装置１００との間に配置された重畳レンズ６５と、重畳レンズ６５と電気光学装置１００との間に配置されたフィールドレンズ１１２等の複数の光学素子とが設けられている。本形態において、レンズアレイ６６は、光源部６１と偏光変換素子６４との間に配置された第１レンズアレイ６２と、第１レンズアレイ６２と偏光変換素子６４との間に配置された第２レンズアレイ６３とからなる。
【００２６】
光源部６１は、赤色光Ｒ、緑色光Ｇおよび青色光Ｂを含む白色光を出射する光源６１１と、リフレクター６１２とを備えている。光源６１１は超高圧水銀ランプ等により構成されており、リフレクター６１２は、放物線状の断面を有している。
【００２７】
第１レンズアレイ６２および第２レンズアレイ６３は、光源部６１から出射された光の照度分布を均一化する。ここで、第１レンズアレイ６２および第２レンズアレイ６３は各々、複数のレンズ６２２、６３２を有している。レンズ６２２、６３２は同数であり、レンズ６２２、６３２は装置光軸Ｌが延在するＺ方向で対向する位置に設けられている。
【００２８】
かかるレンズ６２２、６３２は、装置光軸Ｌに直交する第１方向Ｘにｎ列設けられているとともに、装置光軸Ｌおよび第１方向Ｘに直交する第２方向Ｙにｍ列設けられている。本形態において、レンズ６２２、６３２は、第１方向Ｘに４列設けられ、第２方向Ｙに６列設けられている。
【００２９】
偏光変換素子６４は、光源部６１から出射された光を、例えばｓ偏光のような特定の振動方向を有する偏光にする。より具体的には、偏光変換素子６４は、誘電体多層膜によって形成された偏光分離膜６４１と、反射面６４２とを有しており、偏光分離膜６４１は、ｓ偏光を反射し、ｐ偏光を透過する。偏光変換素子６４における入射側の面のうち、偏光分離膜６４１への入射口以外の部分には遮光層６４３が設けられている。また、出射側の面のうち、偏光分離膜６４１を透過した光の出射口には１／２波長板６４４が配置されている。これら偏光分離膜６４１、反射板６４２、遮光層６４３、および１／２波長板６４４によって偏光変換セルが構成され、偏光変換セルが第２レンズアレイ６３のレンズセル列に対応して配列されることにより、偏光変換素子６４が構成される。
【００３０】
かかる構成では、偏光変換素子６４に入射した光線が、偏光分離膜６４１を透過した光と、偏光分離膜６４１で反射した光とに２つに分かれて出射されることになる。従って、偏光変換素子６４では、光線の出射部が第１方向Ｘでｎ×２列設けられ、第２方向Ｙにｍ列設けられていることになる。本形態において、第１レンズアレイ６２および第２レンズアレイ６３では、レンズ６２２、６３２が第１方向Ｘに４列設けられ、第２方向Ｙに６列設けられていることから、偏光変換素子６４では、光線の出射部が第１方向Ｘで８列設けられ、第２方向Ｙに６列設けられていることになる。
【００３１】
ダイクロイックミラー１１３は、照明装置６０から出射された光に含まれる赤色光Ｒを透過させるとともに、緑色光Ｇおよび青色光Ｂを反射する。ダイクロイックミラー１１４は、ダイクロイックミラー１１３で反射された緑色光Ｇおよび青色光Ｂのうち、青色光Ｂを透過させるとともに緑色光Ｇを反射する。このように、ダイクロイックミラー１１３、１１４は、照明装置６０から出射された光を赤色光Ｒ、緑色光Ｇおよび青色光Ｂに分離する色分離光学系を構成している。
【００３２】
液晶ライトバルブ１１５は、ダイクロイックミラー１１３を透過して反射ミラー１２３で反射した赤色光Ｒを画像信号に応じて変調する透過型の液晶装置である。液晶ライトバルブ１１５は、λ／２位相差板１１５ａ、第１偏光板１１５ｂ、電気光学装置１００（赤色用電気光学装置１００Ｒ）、および第２偏光板１１５ｄを備えている。ここで、液晶ライトバルブ１１５に入射する赤色光Ｒは、ダイクロイックミラー１１３を透過しても光の偏光は変化しないことから、ｓ偏光のままである。
【００３３】
λ／２位相差板１１５ａは、液晶ライトバルブ１１５に入射したｓ偏光をｐ偏光に変換する光学素子である。第１偏光板１１５ｂは、ｓ偏光を遮断してｐ偏光を透過させる偏光板である。電気光学装置１００（赤色用電気光学装置１００Ｒ）は、ｐ偏光を画像信号に応じた変調によってｓ偏光（中間調であれば円偏光又は楕円偏光）に変換する構成となっている。第２偏光板１１５ｄは、ｐ偏光を遮断してｓ偏光を透過させる偏光板である。従って、液晶ライトバルブ１１５は、画像信号に応じて赤色光Ｒを変調し、変調した赤色光Ｒをクロスダイクロイックプリズム１１９に向けて出射する。λ／２位相差板１１５ａおよび第１偏光板１１５ｂは、偏光を変換させない透光性のガラス板１１５ｅに接した状態で配置されており、λ／２位相差板１１５ａおよび第１偏光板１１５ｂが発熱によって歪むのを回避することができる。
【００３４】
液晶ライトバルブ１１６は、ダイクロイックミラー１１３で反射した後にダイクロイックミラー１１４で反射した緑色光Ｇを画像信号に応じて変調する透過型の液晶装置である。液晶ライトバルブ１１６は、液晶ライトバルブ１１５と同様に、第１偏光板１１６ｂ、電気光学装置１００（緑色用電気光学装置１００Ｇ）、および第２偏光板１１６ｄを備えている。液晶ライトバルブ１１６に入射する緑色光Ｇは、ダイクロイックミラー１１３、１１４で反射されて入射するｓ偏光である。第１偏光板１１６ｂは、ｐ偏光を遮断してｓ偏光を透過させる偏光板である。電気光学装置１００（緑色用電気光学装置１００Ｇ）は、ｓ偏光を画像信号に応じた変調によってｐ偏光（中間調であれば円偏光又は楕円偏光）に変換する構成となっている。第２偏光板１１６ｄは、ｓ偏光を遮断してｐ偏光を透過させる偏光板である。従って、液晶ライトバルブ１１６は、画像信号に応じて緑色光Ｇを変調し、変調した緑色光Ｇをクロスダイクロイックプリズム１１９に向けて出射する。
【００３５】
液晶ライトバルブ１１７は、ダイクロイックミラー１１３で反射し、ダイクロイックミラー１１４を透過した後でリレー系１２０を経た青色光Ｂを画像信号に応じて変調する透過型の液晶装置である。液晶ライトバルブ１１７は、液晶ライトバルブ１１５、１１６と同様に、λ／２位相差板１１７ａ、第１偏光板１１７ｂ、電気光学装置１００（青色用電気光学装置１００Ｂ）、および第２偏光板１１７ｄを備えている。液晶ライトバルブ１１７に入射する青色光Ｂは、ダイクロイックミラー１１３で反射してダイクロイックミラー１１４を透過した後にリレー系１２０の２つの反射ミラー１２５ａ、１２５ｂで反射することから、ｓ偏光となっている。
【００３６】
λ／２位相差板１１７ａは、液晶ライトバルブ１１７に入射したｓ偏光をｐ偏光に変換する光学素子である。第１偏光板１１７ｂは、ｓ偏光を遮断してｐ偏光を透過させる偏光板である。電気光学装置１００（青色用電気光学装置１００Ｂ）は、ｐ偏光を画像信号に応じた変調によってｓ偏光（中間調であれば円偏光又は楕円偏光）に変換する構成となっている。第２偏光板１１７ｄは、ｐ偏光を遮断してｓ偏光を透過させる偏光板である。従って、液晶ライトバルブ１１７は、画像信号に応じて青色光Ｂを変調し、変調した青色光Ｂをクロスダイクロイックプリズム１１９に向けて出射する。なお、λ／２位相差板１１７ａ、および第１偏光板１１７ｂは、ガラス板１１７ｅに接した状態で配置されている。
【００３７】
リレー系１２０は、リレーレンズ１２４ａ、１２４ｂと反射ミラー１２５ａ、１２５ｂとを備えている。リレーレンズ１２４ａ、１２４ｂは、青色光Ｂの光路が長いことによる光損失を防止するために設けられている。リレーレンズ１２４ａは、ダイクロイックミラー１１４と反射ミラー１２５ａとの間に配置されている。リレーレンズ１２４ｂは、反射ミラー１２５ａ、１２５ｂの間に配置されている。反射ミラー１２５ａは、ダイクロイックミラー１１４を透過してリレーレンズ１２４ａから出射した青色光Ｂをリレーレンズ１２４ｂに向けて反射する。反射ミラー１２５ｂは、リレーレンズ１２４ｂから出射した青色光Ｂを液晶ライトバルブ１１７に向けて反射する。
【００３８】
クロスダイクロイックプリズム１１９は、２つのダイクロイック膜１１９ａ、１１９ｂをＸ字型に直交配置した色合成光学系である。ダイクロイック膜１１９ａは青色光Ｂを反射して緑色光Ｇを透過する膜であり、ダイクロイック膜１１９ｂは赤色光Ｒを反射して緑色光Ｇを透過する膜である。従って、クロスダイクロイックプリズム１１９は、液晶ライトバルブ１１５〜１１７のそれぞれで変調された赤色光Ｒと緑色光Ｇと青色光Ｂとを合成し、投射光学系１１８に向けて出射する。
【００３９】
なお、液晶ライトバルブ１１５、１１７からクロスダイクロイックプリズム１１９に入射する光はｓ偏光であり、液晶ライトバルブ１１６からクロスダイクロイックプリズム１１９に入射する光はｐ偏光である。このようにクロスダイクロイックプリズム１１９に入射する光を異なる種類の偏光としていることにより、クロスダイクロイックプリズム１１９において各液晶ライトバルブ１１５〜１１７から入射する光を合成できる。ここで、一般に、ダイクロイック膜１１９ａ、１１９ｂはｓ偏光の反射特性に優れている。このため、ダイクロイック膜１１９ａ、１１９ｂで反射される赤色光Ｒ、および青色光Ｂをｓ偏光とし、ダイクロイック膜１１９ａ、１１９ｂを透過する緑色光Ｇをｐ偏光としている。投射光学系１１８は、投影レンズ（図示略）を有しており、クロスダイクロイックプリズム１１９で合成された光をスクリーン等の被投射部材１１１に投射する。
【００４０】
（電気光学装置１００の構成）
図２は、本発明の実施の形態１に係る投射型表示装置１１０に用いた電気光学装置１００の説明図である。図２（ａ）は、電気光学装置１００を各構成要素と共に第２基板の側から見た平面図であり、図２（ｂ）は、そのＨ−Ｈ′断面図である。
【００４１】
図２に示すように、電気光学装置１００（赤色用電気光学装置１００Ｒ、緑色用電気光学装置１００Ｇ、および青色用電気光学装置１００Ｂ）では、第１基板１０と第２基板２０とが所定の隙間を介してシール材１０７によって貼り合わされており、シール材１０７は第２基板２０の外縁に沿うように枠状に設けられている。かかる電気光学装置１００は、ＴＮ（Twisted Nematic）モードやＶＡ（Vertical Alignment）モードの液晶パネルとして構成されている。電気光学装置１００において、シール材１０７は、光硬化樹脂や熱硬化性樹脂等からなる接着剤であり、両基板間の距離を所定値とするためのグラスファイバー、あるいはガラスビーズ等のギャップ材が配合されている。かかる構成の電気光学装置１００において、第１基板１０と第２基板２０との間では、シール材１０７によって囲まれた領域内に液晶層５０が保持されている。液晶層５０には、ビフェニル系液晶材料、フェニルシクロヘキサン系液晶材料、シクロヘキサン系液晶材料、フェニルピリジミン系液晶材料、エステル系液晶材料、ジオキサン系液晶材料等が用いられている。ここで、液晶層５０では、上記の液晶材料を単独で用いることがある他、駆動電圧の低下、耐熱性、粘度等に関して要求される性能を満たすために複数の液晶材料をブレンドして用いることがある。
【００４２】
本形態において、第１基板１０および第２基板２０はいずれも四角形であり、電気光学装置１００の略中央には、表示領域１０ａが四角形の領域として設けられている。かかる形状に対応して、シール材１０７も略四角形に設けられ、シール材１０７の内周縁と表示領域１０ａの外周縁との間には、略四角形の周辺領域１０ｂが額縁状に設けられている。第１基板１０において、表示領域１０ａの外側では、第１基板１０の一辺に沿ってデータ線駆動回路１０１および複数の端子１０２が形成されており、この一辺に隣接する他の辺に沿って走査線駆動回路１０４が形成されている。なお、端子１０２には、フレキシブル配線基板（図示せず）が接続されており、第１基板１０には、フレキシブル配線基板を介して各種電位や各種信号が入力される。
【００４３】
第１基板１０の液晶層５０側の面において、表示領域１０ａには、画素トランジスター（図示せず）、および画素トランジスターに電気的に接続する画素電極９ａがマトリクス状に形成されており、かかる画素電極９ａの上層側には第１配向膜１６が形成されている。第１配向膜１６は、ポリイミド等の樹脂膜、あるいはシリコン酸化膜等の斜方蒸着膜からなる。本形態において、第１配向膜１６は、ＳｉＯX（ｘ＜２）、ＳｉＯ2、ＴｉＯ2、ＭｇＯ、Ａｌ2Ｏ3、Ｉｎ2Ｏ3、Ｓｂ2Ｏ3、Ｔａ2Ｏ5等の斜方蒸着膜からなる第１無機配向膜である。なお、第１基板１０の一方面側において、周辺領域１０ｂには、画素電極９ａと同時形成されたダミー画素電極９ｂが形成されている。
【００４４】
第２基板２０の液晶層５０側の面には共通電極２１が形成されており、共通電極２１の上層には第２配向膜２６が形成されている。第２配向膜２６は、第１配向膜１６と同様、ポリイミド等の樹脂膜、あるいはシリコン酸化膜等の斜方蒸着膜からなる。本形態において、第２配向膜２６は、ＳｉＯX（ｘ＜２）、ＳｉＯ2、ＴｉＯ2、ＭｇＯ、Ａｌ2Ｏ3、Ｉｎ2Ｏ3、Ｓｂ2Ｏ3、Ｔａ2Ｏ5等の斜方蒸着膜からなる第２無機配向膜である。かかる第１配向膜１６および第２配向膜２６は、例えば、液晶層５０に用いた誘電異方性が負のネマチック液晶化合物を垂直配向させ、電気光学装置１００をノーマリブラックのＶＡモードとして動作させる。共通電極２１は、第２基板２０の略全面に形成されている。また、第２基板２０の液晶層５０側の面には、共通電極２１の下層側に遮光層１０８が形成されている。本形態において、遮光層１０８は、表示領域１０ａの外周縁に沿って延在する額縁状に形成されており、見切りとして機能する。遮光層１０８の外周縁は、シール材１０７の内周縁との間に隙間を隔てた位置にあり、遮光層１０８とシール材１０７とは重なっていない。なお、第２基板２０において、遮光層１０８は、隣り合う画素電極９ａにより挟まれた領域と重なる領域等にも形成されることがある。
【００４５】
このように構成した電気光学装置１００において、第１基板１０には、シール材１０７より外側において第２基板２０の角部分と重なる領域に、第１基板１０と第２基板２０との間で電気的導通をとるための基板間導通用電極１０９が形成されている。かかる基板間導通用電極１０９には、導電粒子を含んだ基板間導通材１０９ａが配置されており、第２基板２０の共通電極２１は、基板間導通材１０９ａおよび基板間導通用電極１０９を介して、第１基板１０側に電気的に接続されている。このため、共通電極２１は、第１基板１０の側から共通電位が印加されている。
【００４６】
シール材１０７は、略同一の幅寸法をもって第２基板２０の外周縁に沿って設けられている。このため、シール材１０７は、略四角形である。但し、シール材１０７は、第２基板２０の角部分と重なる領域では基板間導通用電極１０９を避けて内側を通るように設けられており、シール材１０７の角部分は略円弧状である。
【００４７】
かかる構成の電気光学装置１００において、画素電極９ａおよび共通電極２１をＩＴＯ（Indium Tin Oxide）膜やＩＺＯ（Indium Zinc Oxide）膜等の透光性導電膜により形成すれば、透過型の電気光学装置１００を構成することができる。かかる透過型の電気光学装置１００では、第２基板２０の側から入射した光が第１基板１０を透過して出射される間に変調される。これに対して、画素電極９ａおよび共通電極２１のうち、例えば、共通電極２１を透光性導電膜により形成し、画素電極９ａをアルミニウム膜等の反射性導電膜により形成すれば、反射型の電気光学装置１００を構成することができる。反射型の電気光学装置１００では、第２基板２０の側から入射した光が第１基板１０で反射して出射される間に変調される。
【００４８】
（照明装置６０の詳細構成）
図３は、本発明の実施の形態１に係る投射型表示装置１１０に用いた照明装置６０において、フィルター６９を設けない状態における光源光の特性を示す説明図である。図３（ａ）は、レンズアレイ６６を透過した直後の光源光の特性を示す説明図であり、レンズアレイ６６を透過した直後の光源光を装置光軸Ｌ方向からみたときの光強度分布を示してある。図３（ｂ）は、重畳レンズ６５を透過した直後の光源光の特性を示す説明図であり、重畳レンズ６５を透過した直後の光源光を装置光軸Ｌ方向からみたときの光強度分布を示してある。なお、図３に示す結果は、第１レンズアレイ６２および第２レンズアレイ６３では、レンズ６２２、６３２が第１方向Ｘに４列、第２方向Ｙに６列設けられ、偏光変換素子６４では、光線の出射部が第１方向Ｘで８列、第２方向Ｙに６列設けられている場合のデータである。
【００４９】
図４は、本発明の実施の形態１に係る投射型表示装置１１０において、照明装置６０にフィルター６９を設けない状態で電気光学装置１００に入射する光源光の角度分布を示す説明図であり、装置光軸Ｌに対してなす角度と光強度との関係を示してある。
【００５０】
図５は、本発明の実施の形態１に係る投射型表示装置１１０に用いたフィルター６９の説明図である。図５（ａ）は、光源光の光束のうち、フィルター６９によって光量を低下させる領域を示す説明図であり、図５（ｂ）は、フィルター６９の第１構成例を示す説明図であり、図５（ｃ）は、フィルター６９の第２構成例を示す説明図である。
【００５１】
図１に示す照明装置６０には、以下に説明する理由から、光源６１１から電気光学装置１００に到る光路にはフィルター６９が配置されている。
【００５２】
図１に示す照明装置６０にフィルター６９を設けない状態では、レンズアレイ６６を透過した直後の光源光は、図３（ａ）に示す強度分布を有しており、重畳レンズ６５を透過した直後の光源光は、図３（ｂ）に示す強度分布を有している。図３（ａ）、（ｂ）に示すデータは、光源光の光束からは複数のスポットＳ１、Ｓ２が存在し、スポットＳ１、Ｓ２では、中心側から外周側に向かって光強度が低下していることを示している。また、図３（ｂ）に例示するスポットＳ２ａのように、中心側から外周側に向かって光強度分布が同心状の場合、装置光軸Ｌに対して平行な光が多いことを意味する。これに対して、図３（ｂ）に例示するスポットのＳ２ｂのように、形状が細長くなっている場合、装置光軸Ｌに対して斜めに進行する斜め光が含まれていることを意味する。従って、スポットＳ１、Ｓ２の形状が細く長くなる程、斜め光が多く含まれており、円形状に近い程、斜め光が少ないことを意味する。
【００５３】
従って、図３（ａ）に示すように、レンズアレイ６６を透過した直後の光源光の光束において、レンズアレイ６６の外周側かつ角側を通過した光源光は、装置光軸Ｌに対して斜めに進行する斜め光の成分を多く含んでいるといえる。また、図３（ｂ）に示すように、重畳レンズ６５を透過した直後の光源光の光束においても、レンズアレイ６６の外周側かつ角側を通過した光源光は、装置光軸Ｌに対して斜めに進行する斜め光の成分を多く含んでいるといえる。そのため、フィルター６９を設けない状態では、図４に示すように、電気光学装置１００に入射する光源光には、装置光軸Ｌ（電気光学装置１００の入射面に対する法線方向）に対して斜めに進行する斜め光の成分が多く含まれていることがわかる。なお、図４において、強度ピークが０°の両側で分かれているのは、レンズアレイ６６を用いたためである。
【００５４】
そこで、本形態では、光源６１１から電気光学装置１００に到る光路には、フィルター６９が配置されている。本形態において、フィルター６９は、レンズアレイ６６（第２レンズアレイ６３）と偏光変換素子６４との間に配置されている。
【００５５】
ここで、フィルター６９は、図５（ｂ）に示す構成、あるいは図５（ｃ）に示す構成を有しており、いずれの場合も、光源光の入射領域６９０に少なくとも３段階の透過率分布を有している。本形態において、フィルター６９は、レベルＴＡ〜レベルＴＦまでの６段階の透過率分布を有している。なお、レベルＴＡ〜レベルＴＦは、透過率が以下の関係
レベルＴＡ＞レベルＴＢ＞レベルＴＣ＞レベルＴＤ＞レベルＴＥ＞レベルＴＦ
を有している。
【００５６】
ここで、フィルター６９は、透光性の基板に遮光層が形成された構成を有しており、遮光層に形成されたドット状の開口部の密度によって、透過率が規定されている。また、フィルター６９は、透光性の基板に遮光層が形成された構成を有しており、遮光層の厚さによって、透過率が規定されることもある。
【００５７】
また、図５（ｂ）、（ｃ）に示すフィルター６９の入射領域６９０には、領域毎に透過率が設定されたアレイ６９１が第１方向Ｘに５列設けられ、第２方向Ｙに９列設けられている。ここで、第１レンズアレイ６２および第２レンズアレイ６３では、レンズ６２２、６３２が第１方向Ｘに４列（ｎ列）、第２方向Ｙに６列（ｍ列）設けられていることから、フィルター６９は、アレイ６９１が第１方向Ｘにｎ列以上設けられているとともに、第２方向Ｙにｍ列以上設けられた構成になっている。
【００５８】
また、フィルター６９は、図３（ａ）に示す結果（図５（ａ）に示す結果）に対応して、各アレイ６９１の透過率が以下のように設定されている。
【００５９】
まず、図５（ａ）の中央領域Ｇａに相当する光束の中心部分は、斜め光が少ないため、図５（ｂ）に示すフィルター６９では、アレイ６９１のうち、中央領域に位置するアレイ６９１ａの透過度はレベルＴＡあるいはレベルＴＢになっている。これに対して、図５（ａ）の角Ｇｂに相当する光束の角部分は、斜め光が多いため、図５（ｂ）に示すフィルター６９では、アレイ６９１のうち、角に位置するアレイ６９１ｂの透過度がレベルＴＦになっている。なお、図５（ａ）の辺Ｇｃに相当する光束の角部分は、角Ｇｂより斜め光は少ないが、中央領域Ｇａより斜め光が多いので、図５（ｂ）に示すフィルター６９では、アレイ６９１のうち、辺に位置するアレイ６９１ｃの透過度はレベルＴＣあるいはレベルＴＤになっている。
【００６０】
このようにして透過率分布を設定した結果、図５（ｂ）に示すフィルター６９においては、入射領域６９０のうち、外周に位置するアレイ６９１の一部は、透過率分布において最も透過率が低いレベルＴＦより透過率が高いレベルＴＣ、ＴＤ、ＴＥになっている。
【００６１】
ここで、図２に示す電気光学装置１００では、液晶層５０に用いた液晶分子のプレチルトの方向によっては、図５（ａ）に示す分布のうち、特定の方位に位置する部分に含まれる斜め光の影響を受けやすいことがある。そこで、図５（ｃ）に示すフィルター６９では、４つの辺に沿って配列されたアレイ６９１ｃのうち、Ｘ方向の一方側に位置する辺の一部については、角に位置するアレイ６９１ｂと同様、レベルＴＦになっている。その結果、図５（ｃ）に示すフィルター６９においては、装置光軸Ｌを中心としたとき、透過率分布が点対称および線対称のいずれにもなっていない。
【００６２】
（本形態の主な効果）
以上説明したように、本形態の投射型表示装置１１０では、光源６１１から電気光学装置１００に到る光路にフィルター６９が配置されており、かかるフィルター６９によって、光源光のうち、装置光軸Ｌに対して大きな角度を成して斜めに進行する斜め光を減少させている。従って、例えば、図４に示すように、電気光学装置１００に対する入射角度の範囲を矢印Ｗで示す範囲に制限することができるので、コントラスト等の向上を図ることができる。また、フィルター６９は、少なくとも３段階の透過率分布を有しているため、コントラスト等を低下させるおそれが低い光成分については遮断しないため、表示光量の低下を抑制しながら、画像の品位を向上することができる。特に電気光学装置１００が液晶装置である場合、斜め光に関しては、リターデーションが設計値と異なる値となるため、コントラストを低下させやすいが、本形態によれば、電気光学装置１００が液晶装置である場合でも、コントラストを向上することができる。
【００６３】
また、本形態において、フィルター６９は、レンズアレイ６６（第２レンズアレイ６３）と偏光変換素子６４との間に配置されている。すなわち、光路のうち、比較的、光源６１１に近い位置にフィルター６９が配置されている。このため、光源光の光束のうち、装置光軸Ｌに対して大きな角度を成す斜め光をフィルター６９によって選択的に減少させることができ、他の光成分の減少を抑制することができる。それ故、表示光量の低下を抑制しながら、画像の品位を向上することができる。
【００６４】
また、第１レンズアレイ６２および第２レンズアレイ６３では、レンズ６２２、６３２が第１方向Ｘに４列（ｎ列）、第２方向Ｙに６列（ｍ列）設けられているのに対して、フィルター６９は、アレイ６９１が第１方向Ｘにｎ列以上設けられているとともに、第２方向Ｙにｍ列以上設けられた構成になっている。従って、フィルター６９の透過率分布を細かく最適に設定することができる。
【００６５】
また、図５（ｂ）、（ｃ）に示すフィルター６９では、入射領域６９０のうち、外周に位置するアレイ６９１であっても、一部のアレイは、透過率分布において最も透過率が低いレベルＴＦより透過率が高いレベルＴＣ、ＴＤになっている。それ故、光源光の光束の外周部分であっても、画像の品位を低下させるおそれが低い光成分については遮断せずに表示光として利用できる。従って、表示光量の低下を抑制することができる。
【００６６】
また、図５（ｃ）に示すフィルター６９では、液晶層５０に用いた液晶分子のプレチルトの方向等を考慮して、特定の方位に位置する部分に含まれる斜め光を遮断した結果、装置光軸Ｌを中心としたとき、透過率分布が点対称および線対称のいずれにもなっていない。すなわち、本形態では、光源光の光束を位置によって一律に遮断するのではなく、電気光学装置１００の特性も考慮して、フィルター６９の透過率分布を設定してある。このため、表示光量の低下を抑制しながら、画像の品位を向上することができる。
【００６７】
［実施の形態２］
図６は、本発明の実施の形態２に係る投射型表示装置１１０に用いた照明装置６０の概略構成図である。なお、本形態および後述する実施の形態３、４、５の基本的な構成は、実施の形態１と共通するため、共通する部分には同一の符号を付して、それらの説明を省略する。
【００６８】
実施の形態１では、フィルター６９が第２レンズアレイ６３と偏光変換素子６４との間に配置されていたが、図６に示すように、本形態では、第１レンズアレイ６２と第２レンズアレイ６３との間に、図５（ｂ）、（ｃ）を参照して説明したフィルター６９が配置されている。その他の構成は、実施の形態１と同様である。かかる構成でも、表示光量の低下を抑制しながら、画像の品位を向上することができる等、実施の形態１と同様な効果を奏する。
【００６９】
［実施の形態１、２の変形例］
実施の形態１、２では、第１レンズアレイ６２および第２レンズアレイ６３において、レンズ６２２、６３２が第１方向Ｘに４列（ｎ列）、第２方向Ｙに６列（ｍ列）設けられているのに対して、フィルター６９は、アレイ６９１が第１方向Ｘにｎ列以上設けられているとともに、第２方向Ｙにｍ列以上設けられた構成になっていた。これに対して、本形態では、フィルター６９は、アレイ６９１が第１方向Ｘにｎ列設けられているとともに、第２方向Ｙにｍ列設けられている。このため、フィルター６９では、第１レンズアレイ６２および第２レンズアレイ６３のレンズ６２２、６３２に対して一対一の関係をもってアレイ６９１が設けられている。従って、フィルター６９において、アレイ６９１をいずれの透過率に設定するかを容易に決定することができる。
【００７０】
［実施の形態３］
図７は、本発明の実施の形態３に係る投射型表示装置１１０に用いた照明装置６０の概略構成図である。実施の形態１では、フィルター６９がレンズアレイ６６と偏光変換素子６４との間に配置されていたが、図７に示すように、本形態では、偏光変換素子６４と重畳レンズ６５との間に、図５（ｂ）、（ｃ）を参照して説明したフィルター６９が配置されている。ここで、偏光変換素子６４では、光線の出射部が第１方向Ｘで４列（ｎ×２列）設けられ、第２方向Ｙに６列（ｍ列）設けられているため、フィルター６９では、アレイ６９１が第１方向Ｘで８列以上（ｎ×２列以上）設けられ、第２方向Ｙに６列以上（ｍ列以上）設けられている。その他の構成は、実施の形態１と同様である。
【００７１】
かかる構成でも、少なくとも３段階の透過率分布を有するフィルター６９によって光源光の斜め光を効果的に遮断するため、表示光量の低下を抑制しながら、画像の品位を向上することができる。また、光路のうち、比較的、光源６１１に近い位置にフィルター６９が配置されているため、光源光の光束のうち、装置光軸Ｌに対して大きな角度を成す斜め光をフィルター６９によって選択的に減少させることができ、他の光成分の減少を抑制することができる。それ故、表示光量の低下を抑制しながら、画像の品位を向上することができる。
【００７２】
また、偏光変換素子６４では、光線の出射部が第１方向Ｘで４列（ｎ×２列）設けられ、第２方向Ｙに６列（ｍ列）設けられているため、フィルター６９では、アレイ６９１が第１方向Ｘで８列以上（ｎ×２列以上）設けられ、第２方向Ｙに６列以上（ｍ列以上）設けられている。従って、フィルター６９の透過率分布を細かく最適に設定することができる。
【００７３】
［実施の形態４］
図８は、本発明の実施の形態４に係る投射型表示装置１１０に用いた照明装置６０の概略構成図である。図８に示すように、本形態では、重畳レンズ６５と電気光学装置１００との間に配置された複数の光学素子のうち、最も重畳レンズ６５側に配置されたフィールドレンズ１１２と重畳レンズ６５との間に、図５（ｂ）、（ｃ）を参照して説明したフィルター６９が配置されている。すなわち、重畳レンズ６５の直後にフィルター６９が配置されている。ここで、偏光変換素子６４では、光線の出射部が第１方向Ｘで４列（ｎ×２列）設けられ、第２方向Ｙに６列（ｍ列）設けられているため、フィルター６９では、アレイ６９１が第１方向Ｘで８列以上（ｎ×２列以上）設けられ、第２方向Ｙに６列以上（ｍ列以上）設けられている。その他の構成は、実施の形態１と同様である。
【００７４】
かかる構成でも、少なくとも３段階の透過率分布を有するフィルター６９によって光源光の斜め光を効果的に遮断するため、表示光量の低下を抑制しながら、画像の品位を向上することができる。また、光路のうち、比較的、光源６１１に近い位置にフィルター６９が配置されているため、光源光の光束のうち、装置光軸Ｌに対して大きな角度を成す斜め光をフィルター６９によって選択的に減少させることができ、他の光成分の減少を抑制することができる。それ故、表示光量の低下を抑制しながら、画像の品位を向上することができる。
【００７５】
また、偏光変換素子６４では、光線の出射部が第１方向Ｘで４列（ｎ×２列）設けられ、第２方向Ｙに６列（ｍ列）設けられているため、フィルター６９では、アレイ６９１が第１方向Ｘで８列以上（ｎ×２列以上）設けられ、第２方向Ｙに６列以上（ｍ列以上）設けられている。従って、フィルター６９の透過率分布を細かく最適に設定することができる。
【００７６】
さらに、フィルター６９が光源６１１から、ある程度離れた位置に設けられているため、光源６１１の熱によってフィルター６９が変形することを抑制することができる。
【００７７】
［実施の形態３、４の変形例］
実施の形態３、４では、偏光変換素子６４では、光線の出射部が第１方向Ｘに８列（ｎ×５列）、第２方向Ｙに６列（ｍ列）設けられているのに対して、フィルター６９は、アレイ６９１が第１方向Ｘにｎ×２列以上設けられているとともに、第２方向Ｙにｍ列以上設けられた構成になっていた。これに対して、本形態では、フィルター６９は、アレイ６９１が第１方向Ｘにｎ×２列設けられているとともに、第２方向Ｙにｍ列設けられている。このため、フィルター６９では、偏光変換素子６４の光線の出射部に対して一対一の関係をもってアレイ６９１が設けられている。従って、フィルター６９において、アレイ６９１をいずれの透過率に設定するかを容易に決定することができる。
【００７８】
［実施の形態５］
図９は、本発明の実施の形態５に係る投射型表示装置１１０の照明装置６０に用いたフィルター６９の説明図である。
【００７９】
上記実施の形態１〜４では、６段階の透過率分布を有するフィルター６９を用いたが、図９に示すように、本形態では、レベルＴＡ〜ＴＥの５段階の透過率分布を有するフィルター６９が用いられている。また、本形態では、フィルター６９にアレイ６９１を設定せずに、中心側から外周側に向けて透過率が段階的に切り換わっている構成になっている。かかる構成でも、少なくとも３段階の透過率分布を有するフィルター６９によって光源光の斜め光を効果的に遮断するため、表示光量の低下を抑制しながら、画像の品位を向上することができる。
【００８０】
［他の実施の形態］
上記実施の形態では、赤色光Ｒ、緑色光Ｇ、青色光Ｂの３つの電気光学装置１００を用いた例を説明したが、１つの電気光学装置１００、異なる色に対応する２つの電気光学装置１００、あるいは４つ以上の電気光学装置１００を用いた場合に適用してもよい。
【００８１】
上記実施の形態では、透過型の電気光学装置１００を用いた例を説明したが、反射型の電気光学装置１００を用いた投射型表示装置に本発明を適用してもよい。
【００８２】
上記実施の形態では、電気光学装置１００として液晶装置を用いたが、マイクロミラーデバイスを電気光学装置１００として用いた投射型表示装置に本発明を適用してもよい。
【符号の説明】
【００８３】
１０・・第１基板、２０・・第２基板、５０・・液晶層、６０・・照明装置、６１・・光源部、６２・・第１レンズアレイ、６３・・第２レンズアレイ、６４・・偏光変換素子、６５・・重畳レンズ、６６・・レンズアレイ、６９・・フィルター、１００・・電気光学装置、１１０・・・投射型表示装置、１１８・・投射光学系、２００・・光学ユニット、６１１・・光源、６２２・・第１レンズアレイのレンズ、６３２・・第２レンズアレイのレンズ、６９０・・フィルターの入射領域、６９１・・フィルターのアレイ
【図１】
2015200807.tif 000003
【図２】
2015200807.tif 000004
【図４】
2015200807.tif 000005
【図６】
2015200807.tif 000006
【図７】
2015200807.tif 000007
【図８】
2015200807.tif 000008
【図３】
2015200807.tif 000009
【図５】
2015200807.tif 000010
【図９】
2015200807.tif 000011